(57)【特許請求の範囲】
【請求項１】
電極端子と、電極体と、前記電極体に接続された集電体と、前記電極体及び前記集電体を収容する容器とを備える蓄電素子であって、
前記容器の外部に配置され、前記集電体及び前記電極端子を電気的に接続する導電部材と、
前記容器の、前記導電部材と対向する位置に設けられた、前記容器の内圧の上昇を受けることで前記容器の外部に向けて反転する反転部とを備え、
前記導電部材は、前記集電体との電気的な接続部分と、前記電極端子との電気的な接続部分との間の一部に、他の部分より断面積の小さな脆弱部であって、前記反転部が反転した場合に、前記導電部材が前記反転部に押されることで破断する脆弱部を有し、
さらに、前記導電部材を、前記反転部とは反対側から覆う外部絶縁部材を備え、
前記反転部の、前記導電部材の側には絶縁部材が配置されており、
前記絶縁部材は、前記反転部の前記導電部材の側に突出した突出部に被せられたキャップ状の突起部である
蓄電素子。
【請求項２】
電極端子と、電極体と、前記電極体に接続された集電体と、前記電極体及び前記集電体を収容する容器とを備える蓄電素子であって、
前記容器の外部に配置され、前記集電体及び前記電極端子を電気的に接続する導電部材と、
前記容器の、前記導電部材と対向する位置に設けられた、前記容器の内圧の上昇を受けることで前記容器の外部に向けて反転する反転部とを備え、
前記導電部材は、前記集電体との電気的な接続部分と、前記電極端子との電気的な接続部分との間の一部に、他の部分より断面積の小さな脆弱部であって、前記反転部が反転した場合に、前記導電部材が前記反転部に押されることで破断する脆弱部を有し、
さらに、前記導電部材を、前記反転部とは反対側から覆う外部絶縁部材と、
前記集電体と電気的に接続され、かつ、少なくとも一部が前記容器の外部に配置された放電用端子とを備え、
前記放電用端子は、前記外部絶縁部材に覆われる位置にあり、かつ、前記外部絶縁部材には、外部から前記放電用端子にアクセス可能とする放電用開口が設けられている
蓄電素子。
【請求項３】
前記脆弱部は、前記導電部材における、前記反転部とは反対側の面に溝が設けられることで形成されている
請求項１または２記載の蓄電素子。
【請求項４】
前記脆弱部は、前記導電部材において、前記反転部に押される部分の側方に設けられている
請求項１〜３のいずれか１項に記載の蓄電素子。
【請求項５】
さらに、前記反転部とは反対側から前記導電部材に当接する当接部を備え、
前記脆弱部は、前記導電部材において、前記反転部に押される部分と前記当接部が当接する部分との間に位置する
請求項４記載の蓄電素子。
【発明の詳細な説明】
【技術分野】
【０００１】
本発明は、容器に収容された、電極体及び電極体に接続された集電体を備える蓄電素子に関する。
【背景技術】
【０００２】
近年、リチウムイオン二次電池などの蓄電素子を動力源に用いた電気自動車（ＥＶ）、プラグインハイブリッド電気自動車（ＰＨＥＶ）、ハイブリッド電気自動車（ＨＥＶ）などの開発が進められている。そして、このような蓄電素子は、一般的に、正極及び負極を有する電極体と、電極体を収容する容器とを備えている。
【０００３】
また、リチウムイオン二次電池などの蓄電素子では、例えば過充電されることに起因して、容器内の電解液の一部が気化し、これにより容器の内圧が上昇する場合がある。
【０００４】
特許文献１に開示された蓄電池用安全装置では、外装ケースの内圧の上昇時に、圧力感応手段が反転する。これにより、電極要素と正極端子とを接続する充放電用リードが切断される。その結果、その後の内圧の上昇が防がれる。また、この充放電用リードは、ガラス等である脆性基材と脆性基材に印刷された導電体とで構成されており、これにより、充放電用リードの容易な切断を可能としている。
【先行技術文献】
【特許文献】
【０００５】
【特許文献１】特開平８−１６２０９４号公報
【発明の概要】
【発明が解決しようとする課題】
【０００６】
上記従来の技術のように、充放電用リードの基材としてガラス等の脆性基材を採用した場合、充放電用リードの切断の容易化または確実化が図られる一方で、振動または衝撃等に対する耐性についての問題が生じ得る。
【０００７】
そのため、例えば自動車に搭載される蓄電素子のような、激しい振動または強い衝撃が与えられ得る環境に置かれる蓄電素子については、上記従来の技術における蓄電池用安全装置は適しているとは言えない。
【０００８】
本発明は、上記従来の課題を考慮し、容器と容器に収容された電極体とを備える蓄電素子であって、安全性の高い蓄電素子を提供することを目的とする。
【課題を解決するための手段】
【０００９】
上記目的を達成するために、本発明の一態様に係る蓄電素子は、電極端子と、電極体と、前記電極体に接続された集電体と、前記電極体及び前記集電体を収容する容器とを備える蓄電素子であって、前記容器の外部に配置され、前記集電体及び前記電極端子を電気的に接続する導電部材と、前記容器の、前記導電部材と対向する位置に設けられた反転部とを備え、前記導電部材は、前記集電体との電気的な接続部分と、前記電極端子との電気的な接続部分との間の一部に、他の部分より断面積の小さな脆弱部を有する。
【００１０】
この構成によれば、集電体及び電極端子を電気的に接続する導電部材が、容器の外部に配置される。この導電部材の導通方向における一部には、他の部分よりも断面積が小さな脆弱部が設けられる。また、容器の、導電部材に対向する位置に、反転部が配置されている。
【００１１】
これにより、導電部材の全体を例えばアルミニウムのような金属で構成することができ、かつ、反転部が反転した場合（容器の外部に向けて凸状に変形した場合）における導電部材の破断の確実化が図られる。
【００１２】
つまり、通常の使用時における導電部材の信頼性を維持または向上させ、かつ、例えば過充電が生じた場合における安全性の確保が図られる。
【００１３】
また、例えば、反転部のストローク（例えば、容器の内部に向けて凸状から外部に向けて凸状に変形する場合の最大変位量）が比較的に小さい場合であっても、反転部による導電部材の破断が可能となる。
【００１４】
つまり、導電部材及び反転部を含む、蓄電素子の導通路を断つ機構（以下、「安全機構」という。）の小型化が可能となり、このことは、蓄電素子の小型化にとって有利である。
【００１５】
また、脆弱部は、導電部材において断面積が小さい部分であるため、大電流が流れた場合において、導電部材で最も溶断しやすい部分として機能する。そのため、例えば外的な要因によって外部短絡が生じることで大電流が発生した場合に、脆弱部の位置で溶断が生じることで導通路を断つことができる。これにより、蓄電素子の更なる温度上昇を抑制することができる。
【００１６】
すなわち、導電部材及び反転部を含む安全機構は、例えば、過充電に起因する内圧の上昇、及び、外部短絡に起因する大電流の発生、という互いに異なる２つの事象に対応する安全対策のための機構として機能することができる。
【００１７】
また、導電部材は容器の外部に配置され、容器に設けられた反転部が、容器の内圧の上昇を受けて導電部材に向けて凸状に変形することで、導電部材が破断される。
【００１８】
つまり、蓄電素子が備える安全機構が、容器の内部の容量を実質的に消費しない態様で、蓄電素子に備えられる。そのため、例えば、安全機構の存在によって、電極体のサイズが制限されることがない。
【００１９】
また、安全機構において分断（破断または溶断など）される部材である導電部材が、容器の外部に配置されるため、例えば導電部材の分断の際に生じる異物に起因する内部短絡の発生が防止される。
【００２０】
このように、本態様に係る蓄電素子は、容器と容器に収容された電極体とを備える蓄電素子であって、安全性の高い蓄電素子である。
【００２１】
また、本発明の一態様に係る蓄電素子において、前記導電部材は板状であり、前記脆弱部の厚みは、前記他の部分の厚みより小さいとしてもよい。
【００２２】
この構成によれば、例えば、一枚の金属板に対するプレス加工によって、導電部材を作製することができるため、導電部材を効率よく作製することができる。
【００２３】
また、本発明の一態様に係る蓄電素子において、前記脆弱部は、前記導電部材における、前記反転部とは反対側の面に溝が設けられることで形成されているとしてもよい。
【００２４】
この構成によれば、反転部は、導電部材に対し、溝の反対側から押すように作用する。つまり、反転部に押されることで、導電部材は溝の幅を広げるように変形するため、溝の底の部分（肉厚が薄くされた部分）の破断が効率よく実行される。すなわち、脆弱部における破断がより確実化される。
【００２５】
また、本発明の一態様に係る蓄電素子において、前記脆弱部は、前記導電部材において、前記反転部に押される部分の側方に設けられているとしてもよい。
【００２６】
この構成によれば、例えば、脆弱部の位置において２つに破断された導電部材の一方のみを、反転部によって押し上げた状態に維持することができる。これにより、例えば、導電部材が破断されることで導通が断たれた後に、導通が復活することが実質的に防止される。
【００２７】
また、本発明の一態様に係る蓄電素子は、さらに、前記反転部とは反対側から前記導電部材に当接する当接部を備え、前記脆弱部は、前記導電部材において、前記反転部に押される部分と前記当接部が当接する部分との間に位置するとしてもよい。
【００２８】
この構成によれば、反転部と当接部とで、導電部材を効率よくせん断することができる。そのため、導電部材における導通をより確実に断つことができる。
【００２９】
また、本発明の一態様に係る蓄電素子において、前記反転部は、前記容器の一部を、前記容器の内部に向けて凸状に形成することで前記容器に設けられているとしてもよい。
【００３０】
この構成によれば、反転部が、容器の一部に対する加工によって容器に設けられるため、例えば、蓄電素子の部品点数の増加が抑制される。また、例えば、容器における反転部の周辺に、気密性についての問題が生じない。
【００３１】
また、本発明の一態様に係る蓄電素子において、前記反転部は、前記容器に設けられた孔を塞ぐように配置された、前記容器とは別体の部材であるとしてもよい。
【００３２】
この構成によれば、反転部は、容器とは別体の部材として作製されるため、例えば、各種の素材の中から、強度、反転動作のしやすさ、絶縁性、または容器との接合性等に着目して、反転部に適切な素材を選択することができる。
【００３３】
また、本発明の一態様に係る蓄電素子において、前記反転部の、前記導電部材の側には絶縁部材が配置されているとしてもよい。
【００３４】
この構成によれば、反転部に配置された絶縁部材によって、導電部材を直接的に押すことができる。そのため、例えば、導電部材のサイズ及び脆弱部の形状等に応じたサイズ及び形状の絶縁部材を作製することができる。これにより、例えば、導電部材の破断の確実性を向上させることができる。
【００３５】
また、本発明の一態様に係る蓄電素子は、さらに、前記集電体と電気的に接続され、かつ、少なくとも一部が前記容器の外部に配置された放電用端子を備えるとしてもよい。
【００３６】
この構成によれば、例えば、導電部材が反転部によって破断された場合、または、大電流が流れることで溶断した場合であっても、放電用端子を介して、電極体に蓄積された電力を放電することができる。
【００３７】
また、本発明の一態様に係る蓄電素子において、前記集電体と前記導電部材とは、前記放電用端子を介して電気的に接続されているとしてもよい。
【００３８】
この構成によれば、放電用端子が、集電体と導電部材との電気的な接続の役割を担うため、例えば、蓄電素子の構造を複雑化させずに、過充電状態の解消を図る仕組みを備えさせることができる。
【発明の効果】
【００３９】
本発明によれば、容器と容器に収容された電極体とを備える蓄電素子であって、安全性の高い蓄電素子を提供することができる。
【図面の簡単な説明】
【００４０】
【図１】実施の形態における蓄電素子の外観を示す斜視図である。
【図２】実施の形態における蓄電素子の容器の本体を分離して蓄電素子が備える各構成要素を示す斜視図である。
【図３】実施の形態における蓄電素子の正極端子の周辺の構造を示す断面図である。
【図４】実施の形態における蓄電素子の正極端子の周辺の構造を示す分解斜視図である。
【図５】実施の形態における導電部材の外観を示す斜視図である。
【図６】実施の形態における第二絶縁部材の外観を示す斜視図である。
【図７】実施の形態における安全機構の動作例を示す断面図である。
【図８】実施の形態における導電部材が溶断した状態を示す断面図である。
【図９】実施の形態の変形例１における安全機構の構造を示す断面図である。
【図１０】実施の形態の変形例２における安全機構の動作例を示す断面図である。
【図１１】実施の形態の変形例３における安全機構の構造を示す断面図である。
【図１２】実施の形態の変形例４における安全機構の構造を示す断面図である。
【発明を実施するための形態】
【００４１】
以下、図面を参照しながら、本発明の実施の形態における蓄電素子について説明する。なお、各図は、模式図であり、必ずしも厳密に図示したものではない。
【００４２】
また、以下で説明する実施の形態及びその変形例のそれぞれは、本発明の一具体例を示すものである。以下の実施の形態及びその変形例で示される形状、材料、構成要素、構成要素の配置位置及び接続形態、製造工程の順序などは、一例であり、本発明を限定する主旨ではない。また、以下の実施の形態に及びその変形例おける構成要素のうち、最上位概念を示す独立請求項に記載されていない構成要素については、任意の構成要素として説明される。
【００４３】
さらに、以下の説明及び図面中において、蓄電素子の電極体の巻回軸方向をＸ軸方向と定義する。つまり、Ｘ軸方向は、集電体もしくは電極端子の並び方向、または、容器の短側面の対向方向として定義できる。また、蓄電素子の上下方向をＺ軸方向と定義する。つまり、Ｚ軸方向は、集電体の脚が延びる方向、または、容器の短側面の長手方向として定義できる。また、Ｘ軸方向及びＺ軸方向と交差する方向をＹ軸方向と定義する。つまり、Ｙ軸方向は、容器の長側面の対向方向、容器の短側面の短手方向、または、容器の厚さ方向として定義できる。
【００４４】
まず、図１及び図２を用いて、実施の形態における蓄電素子１０の全般的な説明を行う。図１は、実施の形態における蓄電素子１０の外観を示す斜視図である。図２は、実施の形態における蓄電素子１０の容器１００の本体１２０を分離して蓄電素子１０が備える各構成要素を示す斜視図である。
【００４５】
蓄電素子１０は、電気を充電し、また、電気を放電することのできる二次電池であり、より具体的には、リチウムイオン二次電池などの非水電解質二次電池である。
【００４６】
蓄電素子１０は、例えば、電気自動車（ＥＶ）、プラグインハイブリッド電気自動車（ＰＨＥＶ）、またはハイブリッド電気自動車（ＨＥＶ）などに搭載される。
【００４７】
なお、蓄電素子１０は、非水電解質二次電池には限定されず、非水電解質二次電池以外の二次電池であってもよいし、キャパシタであってもよい。
【００４８】
これらの図に示すように、蓄電素子１０は、容器１００と、正極端子２００と、負極端子４００と、上部絶縁部材２５０及び４５０とを備えている。また、容器１００の内部空間Ｓ１には、正極集電体５００と、負極集電体６００と、電極体７００とが収容されている。
【００４９】
また、蓄電素子１０の容器１００の内部には電解液（非水電解質）などの液体が封入されているが、当該液体の図示は省略する。なお、容器１００に封入される電解液としては、蓄電素子１０の性能を損なうものでなければその種類に特に制限はなく様々なものを選択することができる。
【００５０】
容器１００は、矩形筒状で底を備える本体１２０と、本体１２０の開口を閉塞する板状部材である蓋体１１０とで構成されている。また、容器１００は、電極体７００等を内部に収容後、蓋体１１０と本体１２０とが溶接等されることにより、内部を密封することができるものとなっている。なお、蓋体１１０及び本体１２０を形成する材料の種類は、特に限定されないが、例えばステンレス鋼、アルミニウム、アルミニウム合金など溶接可能な金属であるのが好ましい。
【００５１】
電極体７００は、正極と負極とセパレータとを備え、電気を蓄えることができる部材である。正極は、アルミニウムまたはアルミニウム合金などからなる長尺帯状の金属箔である正極基材層上に正極活物質層が形成されたものである。また、負極は、銅や銅合金などからなる長尺帯状の金属箔である負極基材層上に負極活物質層が形成されたものである。また、セパレータは、樹脂からなる微多孔性のシートである。
【００５２】
正極活物質層に用いられる正極活物質、または負極活物質層に用いられる負極活物質としては、リチウムイオンを吸蔵放出可能な正極活物質または負極活物質であれば、適宜公知の材料を使用できる。
【００５３】
そして、電極体７００は、正極と負極との間にセパレータが挟み込まれるように層状に配置されたものが巻芯（図示せず）に巻き回されて形成されている。つまり、本実施の形態では、電極体７００は、巻回型の電極体である。なお、図２では、電極体７００の形状としては長円形状を示したが、円形状または楕円形状でもよい。また、電極体７００の形状は巻回型に限らず、平板状極板を積層した形状でもよい。
【００５４】
なお、電極体７００は、正極側の端部である正極接続部７０１と負極側の端部である負極接続部７０２とを有している。正極接続部７０１は、正極の活物質層非形成部が積層されて束ねられた、電極体７００の正極側の端部であり、負極接続部７０２は、負極の活物質層非形成部が積層されて束ねられた、電極体７００の負極側の端部である。
【００５５】
なお、正極の活物質層非形成部とは、正極のうち正極活物質が塗工されず正極基材層が露出した部分であり、負極の活物質層非形成部とは、負極のうち負極活物質が塗工されず負極基材層が露出した部分である。
【００５６】
また、正極端子２００は、上部絶縁部材２５０を介して蓋体１１０に取り付けられている。負極端子４００は、上部絶縁部材４５０を介して蓋体１１０に取り付けられている。
【００５７】
上部絶縁部材２５０及び４５０は、電極端子と容器１００との間に配置され、電極端子と容器１００とを絶縁する絶縁部材である。具体的には、上部絶縁部材２５０は、正極端子２００と容器１００の蓋体１１０との間に配置され、上部絶縁部材４５０は、負極端子４００と蓋体１１０との間に配置されている。上部絶縁部材２５０及び４５０は、例えば、ポリフェニレンサルファイド（ＰＰＳ）やポリプロピレン（ＰＰ）などの樹脂で形成されている。
【００５８】
本実施の形態における上部絶縁部材２５０は、第一絶縁部材２６０と第二絶縁部材２７０とで構成されている。第一絶縁部材２６０と第二絶縁部材２７０との間には、破断または溶断可能な導電部材が配置されており、この導電部材を含む、蓄電素子１０における導通路を断つ機構（安全機構）が正極端子２００の下方に配置されている。本実施の形態における安全機構の詳細については、図３〜図８を用いて後述する。
【００５９】
正極集電体５００は、電極体７００の正極と容器１００の本体１２０の側壁との間に配置され、正極端子２００と電極体７００の正極とに電気的に接続される導電性と剛性とを備えた部材である。なお、正極集電体５００は、電極体７００の正極基材層と同様、アルミニウムまたはアルミニウム合金などで形成されている。
【００６０】
負極集電体６００は、電極体７００の負極と容器１００の本体１２０の側壁との間に配置され、負極端子４００と電極体７００の負極とに電気的に接続される導電性と剛性とを備えた部材である。なお、負極集電体６００は、電極体７００の負極基材層と同様、銅または銅合金などで形成されている。
【００６１】
なお、蓋体１１０を挟んで上部絶縁部材２５０及び４５０それぞれの反対側には下部絶縁部材が配置されており、これにより、正極集電体５００及び負極集電体６００と、容器１００とは電気的に絶縁されている。
【００６２】
次に、実施の形態における蓄電素子１０の特徴である、安全機構及びその周辺の構造について図３〜図８を用いて説明する。なお、本実施の形態では、正極側に安全機構が配置されているため、以下では、正極端子２００の周辺の構造についてのみ説明する。負極端子４００の周辺の構造については、従来と同じ構造が採用されてもよく、また、以下で説明される、正極端子２００の周辺と同じ構造が採用されてもよい。
【００６３】
図３は、実施の形態における蓄電素子１０の正極端子２００の周辺の構造を示す断面図である。具体的には、図３では、図２に示された蓄電素子１０におけるＩＩＩ−ＩＩＩ断面が図示されている。また、図３では、電極体７００の図示は省略されており、このことは、後述する図７〜図１１についても同じである。
【００６４】
図４は、実施の形態における蓄電素子１０の正極端子２００の周辺の構造を示す分解斜視図である。図５は、実施の形態における導電部材３００の外観を示す斜視図であり、図６は、実施の形態における第二絶縁部材２７０の外観を示す斜視図である。
【００６５】
本実施の形態における蓄電素子１０は、蓄電素子１０の導通路を断つ機構である安全機構１８０を備える。安全機構１８０は、導電部材３００と反転部２８０とを含む。
【００６６】
具体的には、図３及び図４に示すように、蓄電素子１０において、正極集電体５００と正極端子２００とは、導電部材３００及び放電用端子２９０を介して電気的に接続されている。
【００６７】
導電部材３００は、蓋体１１０に備えられた反転部２８０が反転した場合に、反転部２８０によって押されることで破断する。これにより、正極集電体５００と正極端子２００との間の導通が断たれ、その結果、例えば、過充電の状態に陥った蓄電素子１０への充電が停止される。このように動作する安全機構１８０及びその周辺の構造を、以下に詳細に説明する。
【００６８】
本実施の形態の蓄電素子１０では、蓋体１１０の上部に、第一絶縁部材２６０及び第二絶縁部材２７０で構成される上部絶縁部材２５０が配置され、第二絶縁部材２７０の上面に正極端子２００が配置される。
【００６９】
蓋体１１０には、固定部１１６が突設されており、固定部１１６が、第一絶縁部材２６０の貫通孔２６４を貫通した状態でかしめられる。これにより、第一絶縁部材２６０が蓋体１１０に固定される。なお、図４では、固定部１１６は、かしめられた後の状態が図示されている。
【００７０】
また、第一絶縁部材２６０には、複数の突起２６１が設けられており、複数の突起２６１のそれぞれが、第二絶縁部材２７０の貫通孔２７１及び正極端子２００の貫通孔２０１を貫通した状態で熱かしめされる。これにより、第二絶縁部材２７０が第一絶縁部材２６０に固定される。なお、図４では、複数の突起２６１のそれぞれは熱かしめが行われた後の状態が図示されている。
【００７１】
第一絶縁部材２６０にはさらに、反転部２８０による導電部材３００の破断を可能とする、破断用開口２６３が形成されている。反転部２８０が反転した場合、反転部２８０は、破断用開口２６３を介して、導電部材３００を押すことができる。
【００７２】
また、第一絶縁部材２６０と第二絶縁部材２７０との間には、放電用端子２９０及び導電部材３００が配置されている。
【００７３】
放電用端子２９０は、正極集電体５００と電気的に接続され、かつ、少なくとも一部が容器１００の外部に配置された部材である。放電用端子２９０は、導電部材３００が破断等されることで、電極体７００と正極端子２００との間の導通が断たれた場合に、電極体７００に蓄積された電力を放電するために用いられる端子である。放電用端子２９０を覆う上部絶縁部材２５０には、外部から放電用端子２９０にアクセス可能なように、放電用開口２６５が設けられている。
【００７４】
つまり、非常用の電極端子として用いられる放電用端子２９０が、正極集電体５００と導電部材３００との電気的な接続の役割を担うため、例えば、蓄電素子１０の構造を複雑化させずに、過充電状態の解消を図る仕組みを備えさせることができる。
【００７５】
また、放電用端子２９０は、電極体７００の正極基材層と同様、アルミニウムまたはアルミニウム合金などで形成された部材であり、導電部材３００と接続される第一接続部２９１と、正極集電体５００と接続される第二接続部２９２とを有する。
【００７６】
第一接続部２９１と、導電部材３００における導通方向（本実施の形態では導電部材３００の長手方向と同じ）の両端部のうちの一方の端部である第一端部３０１とは接合され、これにより、放電用端子２９０と導電部材３００とは、機械的及び電気的に接続される。
【００７７】
また、第二接続部２９２は、第一絶縁部材２６０に設けられた貫通孔（図示せず）、蓋体１１０に設けられた貫通孔１１３、及び、正極集電体５００の端子接続部５１０に設けられた貫通孔５１１を貫通し、この状態でかしめられる。これにより、正極集電体５００と放電用端子２９０とは、機械的及び電気的に接続される。なお、図４では、第二接続部２９２は、かしめられた後の状態が図示されている。
【００７８】
また、端子接続部５１０と蓋体１１０との間には、図３に示すように下部絶縁部材２５５が配置されており、これにより正極集電体５００と蓋体１１０（容器１００）とは電気的に絶縁される。
【００７９】
正極集電体５００は、端子接続部５１０から電極体７００の方向に延設された一対の脚部５２０を有しており、一対の脚部５２０と、電極体７００の正極接続部７０１（図２参照）とは超音波溶接等によって接合される。これにより、正極集電体５００と電極体７００とは機械的及び電気的に接続される。
【００８０】
導電部材３００の導通方向の両端部のうちの、第一端部３０１とは反対側の端部である第二端部３０２は、第二絶縁部材２７０に設けられた導通用開口２７２を介して、正極端子２００と接合される。これにより、導電部材３００と正極端子２００とは機械的及び電気的に接続される。
【００８１】
なお、放電用端子２９０と導電部材３００との接合の手法、及び、導電部材３００と正極端子２００との接合の手法としては、レーザー溶接、スポット溶接、クリンチ接合等の各種の手法を採用し得る。
【００８２】
本実施の形態では、上記構造により、正極集電体５００と正極端子２００との導通路が形成され、その導通路の一部が導電部材３００によって形成されている。
【００８３】
具体的には、導電部材３００は、正極集電体５００及び正極端子２００を電気的に接続する部材であり、容器１００の外部に配置されている。
【００８４】
導電部材３００は、アルミニウムまたはアルミニウム合金などの金属で構成されており、全体として所定の強度を有し、かつ、一部に脆弱部３０５を有している。
【００８５】
具体的には、導電部材３００は、正極集電体５００との電気的な接続部分（本実施の形態では第一端部３０１）と、正極端子２００との電気的な接続部分（本実施の形態では第二端部３０２）との間の一部に、他の部分より断面積の小さな脆弱部３０５を有する。
【００８６】
より詳細には、図５に示すように、導電部材３００は板状であり、脆弱部３０５の厚みは、他の部分の厚みより小さい。つまり、金属製の導電部材３００の一部を薄くすることで、機械的に弱い部分である脆弱部３０５が設けられている。
【００８７】
また、本実施の形態では、脆弱部３０５は、例えば図３及び図５に示されるように、導電部材３００における、反転部２８０とは反対側の面である上面３００ａに溝３０５ａが設けられることで形成されている。
【００８８】
つまり、導電部材３００における導通方向に交差する方向に延びる溝３０５ａを、導電部材３００の上面３００ａに形成することで、線状の脆弱部３０５が導電部材３００に設けられている。
【００８９】
このように、導電部材３００に設けられた溝３０５ａによって脆弱部３０５を形成することで、例えば、導電部材３００が分断される位置を制御することができる。そのため、例えば、反転部２８０が反転した場合に、予期せぬ位置で導電部材３００に亀裂が生じ、これにより導電部材３００の破断が失敗する等の不具合の発生が抑制される。
【００９０】
また、本実施の形態では、脆弱部３０５の位置において、導電部材３００の幅（導通方向及び厚み方向に直交する方向の長さ）も他の部分よりも狭められており、このことによっても、脆弱部３０５の断面積が他の部分よりも小さくされている。
【００９１】
なお、本実施の形態における脆弱部３０５は、導電部材３００によって形成される導通路（第一端部３０１と第二端部３０２との間）の一部に設けられた、導通方向に直交する断面の面積が最も小さい部分である、ということもできる。
【００９２】
本実施の形態における蓄電素子１０では、上記のように導通方向の一部に脆弱部３０５を有する導電部材３００に対向する位置に、所定の条件下において導電部材３００を破断する反転部２８０が備えられている。
【００９３】
具体的には、蓄電素子１０は、容器１００の、導電部材３００と対向する位置に設けられた反転部２８０を備える。より詳細には、蓄電素子１０は、容器１００の内部に向けて凸状に形成された反転部２８０であって、容器１００の外部に向けて凸状に変形可能に形成された反転部２８０を備えている。
【００９４】
また、反転部２８０の、導電部材３００の側に、絶縁性を有する突起部２８２が配置されており、反転部２８０は、突起部２８２を介して導電部材３００を押すことができる。
【００９５】
なお、突起部２８２は、例えばＰＰＳまたはＰＰなどの樹脂で形成された絶縁性部材であり、反転部２８０の中央部に設けられた突出部２８１に嵌るキャップ状の形状を有している。
【００９６】
反転部２８０は、本実施の形態では、容器１００とは別体の部品として作製され、容器１００に設けられた孔を塞ぐように配置されている。具体的には、反転部２８０は、蓋体１１０に設けられた取付孔１１４を塞ぐように配置されている。
【００９７】
反転部２８０は、例えばステンレス鋼、アルミニウム、アルミニウム合金等の弾性を有する材料を、図３及び図４に示すように全体として、容器１００の内部に向けて凸状（容器１００の表面に対して凹状）になるように成形することで作製される。また、反転部２８０の周縁と、取付孔１１４の周縁とが例えばレーザー溶接によって接合され、これにより、反転部２８０の位置における容器１００の気密性が保たれる。
【００９８】
つまり、反転部２８０は、蓄電素子１０において、容器１００の一部を構成し、容器１００の内部空間Ｓ１と、容器１００の外部との圧力差を受ける部材（容器１００の一部分）である。
【００９９】
そのため、例えば蓄電素子１０（電極体７００）に対する過充電に起因して、電解液の一部が気化し、これにより容器１００の内圧が上昇した場合、反転部２８０は、内圧を受けることで容器１００の外部に向けて凸状に変形する。
【０１００】
なお、反転部２８０は、容器１００とは別体であるため、例えば、各種の素材の中から、強度、反転動作のしやすさ、絶縁性、または容器１００との接合性等に着目して、反転部２８０に適切な素材を選択することができる。
【０１０１】
図７は、実施の形態における安全機構１８０の動作例を示す断面図である。なお、図７では、図３に示される断面と同じ位置の断面の一部を拡大した図が示されており、このことは、後述する図８〜図１０のそれぞれについても同じである。
【０１０２】
また、図７の（ａ）は、通常時における安全機構１８０の状態を示し、図７の（ｂ）は、安全機構１８０が作動した状態を示している。
【０１０３】
図７の（ａ）に示すように、通常時では、反転部２８０は、容器１００の内部に向けて凸状であり、導電部材３００の側に配置された突起部２８２は、導電部材３００から離れた位置に存在する。
【０１０４】
また、上述のように、例えば過充電に起因して容器１００の内圧が上昇した場合、容器１００の内部空間Ｓ１の圧力と、容器１００の外部の圧力（例えば大気圧）との差（差圧）が大きくなる。その結果、差圧を受けた反転部２８０が、図７の（ｂ）に示すように反転し、容器１００の外部に向けて凸状に変形する。
【０１０５】
反転部２８０が外部に向けて凸状に変形した場合、導電部材３００は、図７の（ｂ）に示すように、反転部２８０に押されることで破断する。
【０１０６】
具体的には、導電部材３００は脆弱部３０５を有し、脆弱部３０５は、導電部材３００において、反転部２８０に押される部分、つまり、反転部２８０に設けられた突起部２８２が衝突する部分の側方に設けられている。
【０１０７】
そのため、導電部材３００は、脆弱部３０５において破断が生じ、図７の（ｂ）に示すように、第二端部３０２を含む部分（電極端子側の部分）、及び、第一端部３０１を含む部分（集電体側の部分）の２つに分断される。
【０１０８】
なお、通常時において、突起部２８２と導電部材３００とは離されて配置されているため、反転部２８０は反転動作を開始しやすい状態にある。また、突起部２８２は、加速を開始した後に導電部材３００に接触（衝突）するため、導電部材３００に対し、局部的に衝撃を与えることができる。このことは、導電部材３００の破断の確実化にとって有利である。また、突起部２８２と導電部材３００とが離れて配置されていることで、例えば、通常時において蓄電素子１０に振動が加えられた場合に、突起部２８２と導電部材３００との干渉が抑制される。
【０１０９】
また、本実施の形態では、導電部材３００の上面３００ａに設けられた溝３０５ａによって脆弱部３０５が形成されており、導電部材３００は、上面３００ａの反対側から反転部２８０によって押し上げられる。
【０１１０】
そのため、導電部材３００は、溝３０５ａの幅（上面３００ａにおける、溝３０５ａの延設方向に直交する方向の幅）を広げるように変形する。これにより、溝３０５ａの底の部分（肉厚が薄くされた部分）の破断が効率よく実行される。すなわち、脆弱部３０５における破断がより確実化される。
【０１１１】
さらに、本実施の形態では、導電部材３００の幅が、脆弱部３０５の位置において狭く形成されている。そのため、脆弱部３０５に応力が集中しやすく、このことによっても、脆弱部３０５における破断がより確実化される。
【０１１２】
また、破断後における導電部材３００の集電体側の部分は、外部に向けて凸状に変形した反転部２８０によって、押し上げられた状態に維持される。
【０１１３】
より詳細には、反転部２８０が反転した場合、反転部２８０を容器１００の内部に向けて凸状に戻すような力が作用しない限り、反転した状態が維持される。そのため、導電部材３００が破断することで断たれた導通の復活が実質的に防止される。
【０１１４】
なお、導電部材３００の集電体側の部分に直接的に接触している突起部２８２は、電気的な絶縁性を有しているため、反転部２８０を介した導通は生じない。
【０１１５】
また、脆弱部３０５は、断面積が小さな部分であるため、大電流が流れた場合において、導電部材３００において最も溶断しやすい部分として機能する。
【０１１６】
図８は、実施の形態における導電部材３００が溶断した状態を示す断面図である。
【０１１７】
例えば蓄電素子１０を搭載した自動車の事故などの外的な要因によって、蓄電素子１０において外部短絡が生じた場合を想定する。例えば容器１００に金属製の部材が刺さることで電極体７００において短絡が生じた場合、導電部材３００に大電流が流れることが考えられる。
【０１１８】
この場合、容器１００の内外で差圧が生じないため、反転部２８０による、図７の（ｂ）に示す動作（反転部２８０の反転）は期待できない。
【０１１９】
しかし、脆弱部３０５は、金属製の導電部材３００における断面積の小さな部分であり、大電流が流れることで高熱となり、その結果、導電部材３００は、脆弱部３０５の位置で溶断する。これにより、蓄電素子１０における電流の流れが停止され、蓄電素子１０の更なる温度上昇を抑制することができる。
【０１２０】
このように、本実施の形態における、導電部材３００及び反転部２８０を含む安全機構１８０は、例えば、過充電に起因する内圧の上昇、及び、外部短絡に起因する大電流の発生、という互いに異なる２つの事象に対応する安全対策のための機構として機能することができる。
【０１２１】
また、本実施の形態では、導電部材３００は、反転部２８０によって押される方向に配置された第二絶縁部材２７０によって、当該方向への移動が規制されている。
【０１２２】
具体的には、例えば図６及び図８に示すように、第二絶縁部材２７０は、当接部２７５と押さえ部２７６とを有している。
【０１２３】
当接部２７５は、反転部２８０とは反対側から導電部材３００に当接する部分である。本実施の形態では、平面視（Ｚ軸プラスの方向から見た場合）において、導電部材３００の脆弱部３０５を挟んで、反転部２８０によって押される部分とは反対側に、当接部２７５が配置される。
【０１２４】
つまり、脆弱部３０５は、導電部材３００において、反転部２８０に押される部分と当接部２７５が当接する部分との間に位置する。また、導電部材３００の、集電体側の部分は、押さえ部２７６によって押さえられている。
【０１２５】
これにより、反転部２８０が容器１００の外部に向けて凸状に変形した場合、反転部２８０と当接部２７５とで、導電部材３００を効率よくせん断することができる。
【０１２６】
具体的には、当接部２７５と、反転部２８０によって押される部分との間の部分、つまり、本実施の形態では脆弱部３０５に、せん断応力を集中させることができる。
【０１２７】
より詳細には、導電部材３００は、脆弱部３０５を中心として一方の側に反転部２８０からの負荷がかけられ、かつ、他方の側が当接部２７５によって位置規制される。
【０１２８】
その結果、外部に向けて凸状に変形した反転部２８０による脆弱部３０５の破断（せん断破壊）がより確実に行われる。そのため、例えば、反転部２８０のストローク（内部に向けて凸状から外部に向けて凸状に変形する場合の最大変位量）が比較的に小さい場合であっても、反転部２８０による導電部材３００の破断が可能となる。つまり、安全機構１８０の小型化が可能となり、このことは、蓄電素子１０の小型化にとって有利である。
【０１２９】
また、導電部材３００の全体を、伸びの大きな材料である金属で構成した場合であっても、脆弱部３０５及び当接部２７５の少なくとも一方が存在することで、反転部２８０の比較的に小さなストロークによる導電部材３００の破断が可能である。
【０１３０】
つまり、導電部材３００に、全体としての所定の強度を持たせつつ、導電部材３００及び反転部２８０を含む安全機構１８０の小型化が図られる。
【０１３１】
このように、本実施の形態における蓄電素子１０は、容器１００の外部に配置された導電部材３００と、容器１００の導電部材３００と対向する位置に設けられた反転部２８０とを備える。反転部２８０は、容器１００の内部に向けて凸状に形成されている。導電部材３００は、正極集電体５００との電気的な接続部分（第一端部３０１）と、正極端子２００との電気的な接続部分（第二端部３０２）との間の一部に、他の部分より断面積の小さな脆弱部３０５を有する。
【０１３２】
上記構造を有する蓄電素子１０において、容器１００の内部に向けて凸状に形成された反転部２８０は、容器１００の外部に向けて凸状に変形した場合（反転した場合）に、導電部材３００を押すことができる。
【０１３３】
これにより、例えば、過充電に起因して容器１００の内圧が上昇した場合に、反転部２８０が容器１００の外部に向けて凸状に変形する。つまり、反転部２８０が反転し、これにより生じる力を利用して、導電部材３００が脆弱部３０５の位置で破断される。つまり、電極体７００と正極端子２００との間の導通路が機械的に切断される。
【０１３４】
導電部材３００は、例えばアルミニウムまたはアルミニウム合金等の金属で構成されているため、全体として所定の強度を有し、かつ、脆弱部３０５を持つことで、反転部２８０に押されることによる破断の確実性が担保される。
【０１３５】
従って、通常時における導電部材３００の信頼性を損なわず、かつ、容器１００の内圧が過度に上昇した場合、蓄電素子１０における電流の流れを停止させることができる。その結果、その後の容器１００の内圧の上昇を抑制することができる。
【０１３６】
また、上述のように、例えば外部短絡に起因して導電部材３００に大電流が流れた場合、脆弱部３０５の位置で溶断されるため、蓄電素子１０の温度上昇が抑制される。つまり、導電部材３００を含む安全機構１８０は、必ずしも容器１００の内圧の上昇を伴わない事象（大電流の発生）に対する安全性確保のための機構としても機能する。
【０１３７】
また、導電部材３００は、容器１００の外部に配置されるため、安全機構１８０を、容器１００の内部容量を実質的に消費しない態様で蓄電素子１０に配置することができる。また、導電部材３００が破断または溶断することで金属片またはスパッタ等の異物が発生した場合であっても、その異物が、例えば電極体７００の内部に侵入することがない。つまり、金属製の導電部材３００が分断されることで発生する異物によって生じ得る、蓄電素子１０における内部短絡の発生が抑制される。
【０１３８】
さらに、導電部材３００は、上部絶縁部材２５０によって覆われている。そのため、例えば複数の蓄電素子１０を並べて蓄電モジュールを構成した場合において、１つの蓄電素子１０の導電部材３００が分断された場合であっても、当該分断によって発生する異物が、他の蓄電素子１０及び他の構成要素等に悪影響を及ぼさない。
【０１３９】
また、例えば容器１００に安全弁（図示せず）が備えられている場合に、安全弁が開放する前に、上昇した内圧を利用して蓄電素子１０における電流の流れを停止させ、これにより内圧の上昇を停止させることも可能である。つまり、過充電等に起因した安全弁の開放（外部へのガスの放出）の可能性を低減させることができる。
【０１４０】
以上説明したように、本実施の形態における蓄電素子１０は、容器１００と容器１００に収容された電極体７００とを備える蓄電素子１０であって、安全性の高い蓄電素子１０である。
【０１４１】
なお、蓄電素子１０は、図３〜図８に示す安全機構１８０とは異なる態様の安全機構を有してもよい。そこで、以下に、実施の形態における安全機構１８０に関する各種の変形例を説明する。
【０１４２】
（変形例１）
図９は、実施の形態の変形例１における安全機構１８０ａの構造を示す断面図である。図９に示す安全機構１８０ａは、上記実施の形態における安全機構１８０と比較すると、導電部材３００に対して当接部２７５が配置されていない点で異なる。
【０１４３】
この場合であっても、例えば、導電部材３００の脆弱部３０５以外の部分の厚みを厚くすること、または、反転部２８０のストロークを大きくすることなどにより、反転部２８０の反転によって生じる力を利用して、導電部材３００を破断させることは可能である。
【０１４４】
また、例えば外部短絡に起因して導電部材３００に大電流が流れた場合において、脆弱部３０５が溶断される点については、上記実施の形態における安全機構１８０と同じである。
【０１４５】
従って、蓄電素子１０が、変形例１における安全機構１８０ａを備えた場合であっても、蓄電素子１０の安全性は向上される。
【０１４６】
（変形例２）
図１０は、実施の形態の変形例２における安全機構１８０ｂの動作例を示す断面図である。具体的には、図１０の（ａ）は、通常時における安全機構１８０ｂの状態を示し、図１０の（ｂ）は、安全機構１８０ｂが作動した状態を示している。
【０１４７】
図１０の（ａ）及び（ｂ）に示す安全機構１８０ｂは、上記実施の形態における安全機構１８０と比較すると、導電部材３１０が脆弱部を有しない点で異なる。
【０１４８】
具体的には、本変形例における導電部材３１０は、第一端部３０１と第二端部３０２との間において断面積が実質的に均一である。
【０１４９】
つまり、本変形例における導電部材３１０は、上記実施の形態における溝３０５ａ等の、厚みを薄くするため（断面積を小さくするため）の部位を有していない。
【０１５０】
この場合であっても、反転部２８０の反転によって生じる力を利用して、導電部材３００を破断させることは可能である。
【０１５１】
例えば、図１０の（ａ）に示すように、平面視における当接部２７５と、導電部材３１０の、反転部２８０に押される部分との間の距離Ｌを小さくする。
【０１５２】
これにより、反転した反転部２８０に押されることで導電部材３１０に生じるせん断応力を、狭い範囲（図１０の（ａ）におけるＬの範囲）に集中させることができる。
【０１５３】
その結果、導電部材３１０に脆弱部がない場合であっても、図１０の（ｂ）に示すように、導電部材３１０は破断（せん断破壊）される。
【０１５４】
簡単に言うと、安全機構１８０ｂでは、導電部材３１０に対して、導電部材３１０に直接的に接触する突起部２８２と、当接部２７５とを、はさみが有する２つの刃のように機能させることで、導電部材３１０を切断することができる。
【０１５５】
従って、蓄電素子１０が、変形例２における安全機構１８０ｂを備えた場合であっても、蓄電素子１０の安全性は向上される。
【０１５６】
（変形例３）
図１１は、実施の形態の変形例３における安全機構１８０ｃの構造を示す断面図である。図１１に示す安全機構１８０ｃは、上記実施の形態における安全機構１８０と比較すると、反転部２８０ａが、容器１００の一部を加工することで容器１００に設けられている点で異なる。
【０１５７】
具体的には、本変形例における反転部２８０ａは、容器１００の一部（蓋体１１０の一部）を内部に向けて凸状（容器１００の表面に対して凹状）に形成することで容器１００に設けられている。
【０１５８】
例えば、金属製の蓋体１１０を形成する際のプレス加工により、蓋体１１０としての形状を整えるとともに、その一部に、図１１に示す、反転部２８０ａに相当する、容器１００の内部に向けて凸状の部分を形成する。これにより、突出部２８１を含む反転部２８０ａが蓋体１１０に設けられ、その後、突出部２８１に、突起部２８２が取り付けられる。
【０１５９】
このように、反転部２８０ａは、容器１００の一部に対する加工によって容器１００に設けられるため、例えば、蓄電素子１０の部品点数の増加が抑制される。また、例えば、容器１００における反転部２８０ａの周辺に、気密性についての問題が生じない。
【０１６０】
また、容器１００は、上述のように、ステンレス鋼等の弾性変形可能な材料によって形成される。そのため、反転部２８０ａが容器１００と一体の部材である場合であっても、反転部２８０の反転によって生じる力を利用して、導電部材３００を破断させることは可能である。
【０１６１】
従って、蓄電素子１０が、変形例３における安全機構１８０ｃを備えた場合であっても、蓄電素子１０の安全性は向上される。
【０１６２】
（変形例４）
図１２は、実施の形態の変形例４における安全機構１８０ｄの構造を示す断面図である。図１２に示す安全機構１８０ｄは、上記実施の形態における安全機構１８０（例えば図３参照）と比較すると、当接部２７５が正極集電体５００側に配置されている点で異なる。
【０１６３】
具体的には、本変形例における当接部２７５は、導電部材３００における、反転部２８０に押される部分と、正極集電体５００との電気的な接続部分（第一端部３０１）との間に配置されている。
【０１６４】
つまり、当接部２７５が、電極端子（正極端子２００）側ではなく、集電体（正極集電体５００）側に配置されている。このように、当接部２７５が集電体側に配置されている場合であっても、反転部２８０が反転した場合、導電部材３００の一部に反転部２８０からの負荷がかけられ、かつ、当該一部の側方の部分は当接部２７５によって位置規制される。
【０１６５】
そのため、反転部２８０が反転した場合、反転部２８０と当接部２７５とで、導電部材３００を効率よく破断（せん断破壊）することができる。
【０１６６】
また、本変形例では、導電部材３００の、反転部２８０に押される部分と、当接部２７５が当接する部分との間に、脆弱部３０５が設けられている。これにより、上記実施の形態等で説明したように、反転部２８０が反転した場合における導電部材３００の破断がより確実化される。
【０１６７】
従って、蓄電素子１０が、変形例４における安全機構１８０ｄを備えた場合であっても、蓄電素子１０の安全性は向上される。
【０１６８】
（他の実施の形態）
以上、本発明における蓄電素子について、実施の形態及びその変形例に基づいて説明した。しかしながら、本発明は、実施の形態及びその変形例に限定されるものではない。本発明の趣旨を逸脱しない限り、当業者が思いつく各種変形を実施の形態またはその変形例に施したものも、あるいは、上記説明された複数の構成要素を組み合わせて構築される形態も、本発明の範囲内に含まれる。
【０１６９】
例えば、上記実施の形態における突起部２８２の形状は、円錐台に近い形状（例えば図３及び図４参照）であるが、突起部２８２の形状に特に限定はない。例えば、突起部２８２の上端面（導電部材３００に当接する端面）を、導電部材３００の溝３０５ａの延設方向に細長い長方形に形成してもよい。
【０１７０】
これにより、反転部２８０が反転することで生じる力を、導電部材３００の溝３０５ａに沿った領域に集中して与えることができる。このことは、反転部２８０のストロークの短縮化（安全機構１８０の小型化）等の効果を生じ得る。
【０１７１】
つまり、突起部２８２は、導電部材３００のサイズ及び脆弱部３０５の形状等に応じたサイズ及び形状に作製することができる。これにより、例えば、導電部材３００の破断の確実性を向上させることができる。
【０１７２】
また、反転部２８０に、突起部２８２が配置されていなくてもよい。例えば、導電部材３００の、反転部２８０によって押される部分に、樹脂製のシート等の絶縁部材を配置する。また、反転部２８０が反転した場合に、反転部２８０が絶縁部材を介して導電部材３００を押すように、反転部２８０のストロークを調整する。これにより、反転部２８０が反転することによる導電部材３００の破断が可能であり、かつ、反転した状態の反転部２８０と導電部材３００とは電気的に絶縁される。
【０１７３】
また、反転部２８０によって押される部分が、例えば図７の（ａ）に示すように、脆弱部３０５の側方である場合、当該押される部分に絶縁部材を配置した場合であっても、脆弱部３０５の脆弱性（破断の確実性）は損なわれない。
【０１７４】
また、通常時において、突起部２８２及び導電部材３００は互いに接触した状態で配置されてもよい。この場合であっても、反転部２８０が反転することで生じる力を利用して導電部材３００を破断することは可能である。
【０１７５】
また、上記実施の形態では、正極集電体５００と正極端子２００との間の導通路は、放電用端子２９０及び導電部材３００によって形成されているが、放電用端子２９０は、当該導通路の一部を形成しなくてもよい。つまり、導電部材３００と正極集電体５００とが直接的に接続されていてもよい。
【０１７６】
また、当該導通路の一部が、放電用端子２９０及び導電部材３００以外の部材によって形成されてもよい。例えば、導電部材３００と正極端子２００との間に別の金属部材が接続されていてもよい。
【産業上の利用可能性】
【０１７７】
本発明は、容器と容器に収容された電極体とを備える蓄電素子であって、安全性の高い蓄電素子を提供することができる。従って、本発明における蓄電素子は、大電流を長時間必要とする自動車等に搭載される蓄電素子等として有用である。
【符号の説明】
【０１７８】
１０  蓄電素子
１００  容器
１１０  蓋体
１１３、２０１、２６４、２７１、５１１  貫通孔
１１４  取付孔
１１６  固定部
１２０  本体
１８０、１８０ａ、１８０ｂ、１８０ｃ、１８０ｄ  安全機構
２００  正極端子
２５０、４５０  上部絶縁部材
２５５  下部絶縁部材
２６０  第一絶縁部材
２６１  突起
２６３  破断用開口
２６５  放電用開口
２７０  第二絶縁部材
２７２  導通用開口
２７５  当接部
２７６  押さえ部
２８０、２８０ａ  反転部
２８１  突出部
２８２  突起部
２９０  放電用端子
２９１  第一接続部
２９２  第二接続部
３００、３１０  導電部材
３００ａ  上面
３０１  第一端部
３０２  第二端部
３０５  脆弱部
３０５ａ  溝
４００  負極端子
５００  正極集電体
５１０  端子接続部
５２０  脚部
６００  負極集電体
７００  電極体
７０１  正極接続部
７０２  負極接続部
【図１】
0006620407.tif 000002
【図２】
0006620407.tif 000003
【図３】
0006620407.tif 000004
【図４】
0006620407.tif 000005
【図５】
0006620407.tif 000006
【図６】
0006620407.tif 000007
【図７】
0006620407.tif 000008
【図８】
0006620407.tif 000009
【図９】
0006620407.tif 000010
【図１０】
0006620407.tif 000011
【図１１】
0006620407.tif 000012
【図１２】
0006620407.tif 000013